(57)【要約】【課題】複数種類の検出手段を用いて乗員の生体情報を検出することにより乗員の健康状態を監視する異常検出装置において、製造コストを低減するとともに、迅速な判断を行えるようにする。【解決手段】異常検知装置１０は、乗員の状態を検出し、検出した状態に基づく第一検出値を求める第一検出手段と、第一検出手段とは異なる方法で乗員の状態を検出し、検出した状態に基づく第二検出値を求める第二検出手段と、第一検出値に基づいて乗員の異常の有無を判断する第一判断手段と、第二検出値に基づいて乗員の異常の有無を判断する第二判断手段と、第一判断手段による判断と第二判断手段による判断のうち少なくとも一方に基づいて乗員の異常の有無を最終的に判断する第三判断手段と、を備える。【選択図】図１
2019033911.tif 000002
【特許請求の範囲】
【請求項１】
乗員の状態を検出する第一検出手段と、
第一検出手段とは異なる方法で乗員の状態を検出する第二検出手段と、
前 記第一検出手段が検出した状態に基づいて乗員の異常の有無を判断する第一判断手段と、
前記第二検出手段が検出した状態に基づいて乗員の異常の有無を判断する第二判断手段と、
前記第一判断手段による判断と前記第二判断手段による判断のうち少なくとも一方に基づいて乗員の異常の有無を最終的に判断する第三判断手段と、を備えていることを特徴とする異常検知装置。
【請求項２】
前記第三判断手段は、前記第一判断手段と前記第二判断手段のうち早く判断した方による判断結果を最終的な判断として採用することを特徴とする請求項１に記載の異常検知装置。
【請求項３】
前記第三判断手段は、前記第一判断手段による判断結果と前記第二判断手段による判断結果の両方に基づいて異常の有無を最終的に判断することを特徴とする請求項１に記載の異常検知装置。
【請求項４】
前記第一判断手段と前記第二判断手段のうち判断が遅い方の判断手段は、判断が早い方の判断手段の判断結果に基づいて、異常の有無の判断条件を補正することを特徴とする請求項１から３のいずれか一項に記載の異常検知装置。
【請求項５】
前記第一判断手段、前記第二判断手段及び前記第三判断手段のうち少なくともいずれかが異常ありと判断した場合に、乗員に注意を喚起する注意喚起手段を備えることを特徴とする請求項１から４のいずれか一項に記載の異常検知装置。
【請求項６】
前記注意喚起手段は、判断が早い方の判断手段が異常ありと判断した場合に第一注意喚起を行い、判断が遅い方の判断手段が異常ありと判断した場合に第二注意喚起を行うことを特徴とする請求項５に記載の異常検知装置。
【請求項７】
前記第一検出手段及び前記第二検出手段は、検出した乗員の状態を数値として検出するよう構成されており、
前記第一判断手段及び前記第二判断手段は、検出された前記数値が所定の数値範囲内にあるか否か、又は前記数値が所定の閾値を超えたか否かによって異常の有無を判断するよう構成されており、
判断が遅い方の判断手段は、判断が早い方の判断手段の判断結果に基づいて、前記数値範囲又は閾値を補正することを特徴とする請求項４から６のいずれか一項に記載の異常検知装置。
【請求項８】
判断が遅い方の判断手段は、数値範囲を狭める、又は閾値を前回の検出値から遠ざけるように補正することを特徴とする請求項７に記載の異常検知装置。
【請求項９】
判断が遅い方の判断手段は、数値範囲を広げる、又は閾値を前回の検出値に近づけるように補正することを特徴とする請求項７に記載の異常検知装置。
【請求項１０】
第一検出手段と第二検出手段とをそれぞれ複数備え、
前記第一判断手段及び前記第二判断手段は、前記第一検出手段が検出した複数の第一検出値及び前記第二検出手段が検出した複数の第二検出値のうちの少なくとも２つの検出値に基づいて、異常の有無を判定することを特徴とする請求項１から９のいずれか一項に記載の異常検知装置。
【請求項１１】
前記第一検出手段は、
乗員の画像 を撮影するカメラを有し、
撮影した画像から前記第一検出値を求めるよう構成されていることを特徴とする請求項１から１０のいずれか一項に記載の異常検知装置。
【請求項１２】
第二検出手段は、体温、脈拍、血圧、呼吸数、血糖値、脳波の少なくともいずれかの生体情報を検出する生体センサーを有し、
検出した生体情報から前記第二検出値を求めるよう構成されていることを特徴とする請求項１から１１のいずれか一項に記載の異常検知装置。
【請求項１３】
前記第一判断手段は、前記第一検出値及び第二検出値に基づいて異常の有無を判断することを特徴とする請求項１１又は１２に記載の異常検知装置。
【請求項１４】
所定期間における乗員の状態の変化を検出する第三検出手段 を備え、
第一判断手段又は前記第二判断手段は、前記第三検出手段が検出した状態の変化に基づいて、異常の有無の判断条件を補正することを特徴とする請求項１２又は１３に記載の異常検知装置。
【請求項１５】
請求項１２に記載の生体センサーを備えたことを特徴とするシート。
【発明の詳細な説明】
【技術分野】
【０００１】
本発明は、乗り物に備えられる異常検知装置及びシートに関する。
【背景技術】
【０００２】
車両を運転する運転者の健康状態が悪化した場合、車両の運転に悪影響を及ぼすおそれがあるため、健康状態の悪化を事前に検知して何らかの対策を施すことが望ましい。このような対策として、シートの座面及び背面部に埋め込まれるようにして設けられた非接触式の血流センサーによる脈波等の計測結果に基づいて、血流や血圧等の生体情報を検出推定して運転者の健康状態を把握する技術が知られている（特許文献１，２参照。）。
【先行技術文献】
【特許文献】
【０００３】
【特許文献１】特開２０１６−１９００２２号公報
【特許文献２】特開２０１６−０７７８９０号公報
【発明の概要】
【発明が解決しようとする課題】
【０００４】
特許文献２に記載されたように、カメラとセンサーからそれぞれ得られた情報に基づいて血圧を求めようとすると、処理が複雑になってしまい、装置の製造コストが高くなってしまう。
また、処理が複雑になることで、血圧値が正常か否かの判断が遅くなってしまう。そのため、例えば、運転を行っている乗員の健康状態に異常ありと判断する前に乗員が重篤な状態に陥ってしまい、乗員が運転操作を誤って事故を引き起こしてしまう可能性がある。
【０００５】
本発明は、上記課題に鑑みてなされたもので、複数種類の検出手段を用いて乗員の生体情報を検出することにより乗員の健康状態を監視する異常検出装置において、製造コストを低減するとともに、迅速な判断を行えるようにすることを目的とする。
【課題を解決するための手段】
【０００６】
以上の課題を解決するため、請求項１に記載の発明は、異常検知装置であって、
乗員の状態を検出する第一検出手段と、
第一検出手段とは異なる方法で乗員の状態を検出する第二検出手段と、
前記第一検出手段が検出した状態に基づいて乗員の異常の有無を判断する第一判断手段と、
前記第二検出手段が検出した状態に基づいて乗員の異常の有無を判断する第二判断手段と、
前記第一判断手段による判断と前記第二判断手段による判断のうち少なくとも一方に基づいて乗員の異常の有無を最終的に判断する第三判断手段と、を備えていることを特徴とする。
【０００７】
請求項２に記載の発明は、請求項１に記載の異常検知装置であって、
前記第三判断手段は、前記第一判断手段と前記第二判断手段のうち早く判断した方による判断結果を最終的な判断として採用することを特徴とする。
【０００８】
請求項３に記載の発明は、請求項１に記載の異常検知装置であって、
前記第三判断手段は、前記第一判断手段による判断結果と前記第二判断手段による判断結果の両方に基づいて異常の有無を最終的に判断することを特徴とする。
【０００９】
請求項４に記載の発明は、請求項１から３のいずれか一項に記載の異常検知装置であって、
前記第一判断手段と前記第二判断手段のうち判断が遅い方の判断手段は、判断が早い方の判断手段の判断結果に基づいて、異常の有無の判断条件を補正することを特徴とする。
【００１０】
請求項５に記載の発明は、請求項１から４のいずれか一項に記載の異常検知装置であって、
前記第一判断手段、前記第二判断手段及び前記第三判断手段のうち少なくともいずれかが異常ありと判断した場合に、乗員に注意を喚起する注意喚起手段を備えることを特徴とする。
【００１１】
請求項６に記載の発明は、請求項５に記載の異常検知装置であって、
前記注意喚起手段は、判断が早い方の判断手段が異常ありと判断した場合に第一注意喚起を行い、判断が遅い方の判断手段が異常ありと判断した場合に第二注意喚起を行うことを特徴とする。
【００１２】
請求項７に記載の発明は、請求項４から６のいずれか一項に記載の異常検知装置であって、
前記第一検出手段及び前記第二検出手段は、検出した乗員の状態を数値として検出するよう構成されており、
前記第一判断手段及び前記第二判断手段は、検出された前記数値が所定の数値範囲内にあるか否か、又は前記数値が所定の閾値を超えたか否かによって異常の有無を判断するよう構成されており、
判断が遅い方の判断手段は、判断が早い方の判断手段の判断結果に基づいて、前記数値範囲又は閾値を補正することを特徴とする。
【００１３】
請求項８に記載の発明は、請求項７に記載の異常検知装置であって、
判断が遅い方の判断手段は、数値範囲を狭める、又は閾値を前回の検出値から遠ざけるように補正することを特徴とする。
【００１４】
請求項９に記載の発明は、請求項７に記載の異常検知装置であって、
判断が遅い方の判断手段は、数値範囲を広げる、又は閾値を前回の検出値に近づけるように補正することを特徴とする。
【００１５】
請求項１０に記載の発明は、請求項１から９のいずれか一項に記載の異常検知装置であって、
第一検出手段と第二検出手段とをそれぞれ複数備え、
前記第一判断手段及び前記第二判断手段は、前記第一検出手段が検出した複数の第一検出値及び前記第二検出手段が検出した複数の第二検出値のうちの少なくとも２つの検出値に基づいて、異常の有無を判定することを特徴とする。
【００１６】
請求項１１に記載の発明は、請求項１から１０のいずれか一項に記載の異常検知装置であって、
前記第一検出手段は、
乗員の画像を撮影するカメラを有し、
撮影した画像から前記第一検出値を求めるよう構成されていることを特徴とする。
【００１７】
請求項１２に記載の発明は、請求項１から１１のいずれか一項に記載の異常検知装置であって、
第二検出手段は、体温、脈拍、血圧、呼吸数、血糖値、脳波の少なくともいずれかの生体情報を検出する生体センサーを有し、
検出した生体情報から前記第二検出値を求めるよう構成されていることを特徴とする。
【００１８】
請求項１３に記載の発明は、請求項１１又は１２に記載の異常検知装置であって、
前記第一判断手段は、前記第一検出値及び第二検出値に基づいて異常の有無を判断することを特徴とする。
【００１９】
請求項１４に記載の発明は、請求項１２又は１３に記載の異常検知装置であって、
所定期間における乗員の状態の変化を検出する第三検出手段を備え、
第一判断手段又は前記第二判断手段は、前記第三検出手段が検出した状態の変化に基づいて、異常の有無の判断条件を補正することを特徴とする。
【００２０】
請求項１５に記載の発明は、シートであって、
請求項１２に記載の生体センサーを備えたことを特徴とする。
【発明の効果】
【００２１】
請求項１に記載の発明によれば、第一、第二判断手段それぞれの判断結果に基づいて最終的な判断を行うので、各検出手段から得られた複数の数値を演算して一つの判断を行う場合に比べて簡素な処理で異常有無の判断を行うことが可能となるため、装置の製造コストを低減することが可能になる。
また、判断の仕組みが簡素であるため、迅速な判断を行うことが可能となる。
【００２２】
請求項２に記載の発明によれば、乗員の健康状態に異常が発生した場合に、乗員やその同乗者に迅速に知らせることが可能となる。
【００２３】
請求項３に記載の発明によれば、一方の判断手段のみで最終的な判断を行う場合に比べ異常の有無をより正確に判断することが可能となる。
【００２４】
請求項４に記載の発明によれば、遅い方の判断手段による判断を早くしたり、より慎重な判断を行えるようにしたりすることが可能となる。
【００２５】
請求項５に記載の発明によれば、注意喚起を受けた乗員やその同乗者は、当該乗員が急に体調を崩した場合に備えておくことが可能となる。
【００２６】
請求項６に記載の発明によれば、第二の注意喚起によって、注意喚起が二度行われることになるため、第一の注意喚起をあまり意識しなかった乗員も注意するようになる。
【００２７】
請求項７に記載の発明によれば、異常有無の判断を数値の比較のみで行うことができるため、装置をより簡素かつ処理の早いものにすることができる。
【００２８】
請求項８に記載の発明によれば、その後求められる検出値が数値範囲外である、又は閾値を超えたと判断されやすくなるため、より早い段階で異常を検知することが可能となる。
【００２９】
請求項９に記載の発明によれば、その後求められる検出値が数値範囲内である、又は閾値を超えていないと判断されやすくなるため、より確実に異常が生じた段階で異常ありと判断されることとなるため、異常の有無の判断をより正確に行うことができる。
【００３０】
請求項１０に記載の発明によれば、乗員の好みに応じて用いる検出値の組み合わせを変えることにより、異常有無の判断の精度を調節することができる。
【００３１】
請求項１１に記載の発明によれば、乗員の肌の血色等から血圧や心拍数を求めたり、瞼が開いているか否かによって居眠りをしていないかどうかを判断したり、頭部の動きによって眠気に襲われたりしていないか等を判断することができる。
【００３２】
請求項１２に記載の発明によれば、体温、脈拍、血圧、呼吸数は基本的な生体情報であり、これらのいずれかを測定すれば、乗員の健康状態を比較的正確に掴むことが可能となる。
【００３３】
請求項１３に記載の発明によれば、例えば、暗くて第一検出手段であるカメラによる撮影がうまくできず、第１判断手段による正確な判断が困難となった場合等に、第二検出値も利用することで、第一判断手段による判断を補い、正確なものとすることができる。
【００３４】
請求項１４に記載の発明によれば、状態が変化した分だけ生体情報の数値範囲や閾値を変更することで、異常ありと誤って判断してしまうことを抑制することが可能となる。
【００３５】
請求項１５に記載の発明によれば、生体センサーが乗員の近傍に位置することになるため、乗員の状態をより正確に検出することが可能となる。
【図面の簡単な説明】
【００３６】
【図１】本発明の第１，第２実施形態に係る異常検知装置の構成を表すブロック図である。
【図２】図１の異常検知装置を備えた乗り物の乗員室内を後方から見たときの概略図である。
【図３】図１の異常検知装置を備えたシートの側面図である。
【図４】図１の異常検知装置における異常有無の判断を表す概念図である。
【図５】同実施形態の変形例に係る異常検知装置の構成を表すブロック図である。
【発明を実施するための形態】
【００３７】
＜第１実施形態 ＞
まず、本発明の第１実施形態に係る異常検知装置の概略構成について説明する。図１は異常検知装置１０のブロック図、図２はこの異常検知装置１０を備えた乗り物１００の乗員室内を後方から見たときの概略図、図３はこの異常検知装置１０を備えたシート２００の側面図である。
なお、図２には、乗り物１００の乗員室内として乗用車のものを例示したが、本発明は、バスやトラック等の他の自動車にも適用可能であることは勿論、鉄道や船舶、航空機等の自動車以外の乗り物にも適用可能である。
【００３８】
本実施形態に係る異常検知装置１０は、乗り物１００に備えられるものであって、乗員の健康状態に異常が生じていないかどうかを監視するためのものである。この異常検知装置１０は、図１に示したように、第一検出部１、第二検出部２、報知部３、装置本体４等を備えて構成されている。
これらは、有線又は無線で通信可能に接続されている。有線接続とする場合には、乗り物に配設されたワイヤーハーネスを利用してもよいし、専用の配線を設けるようにしてもよい。一方、無線接続とする場合には、Bluetooth（登録商標）等の近距離無線通信を利用するのが好ましい。
【００３９】
第一検出部１は、生体情報を含む乗員の状態を検出するためのものであり、本実施形態においては、カメラで構成されている。カメラは静止画を撮影するスチルカメラであっても動画を撮影するビデオカメラであってもよいが、乗員の状態を、乗員が乗車している間撮影し続ける必要があることからビデオカメラとするのが好ましい。
第一検出部１は、専用の装置としてもよいし、市販のカメラに通信機能を搭載したものとしてもよい。
第一検出部１の電力や装置本体４との接続方式は、特に限定されるものではないが、第一検出部１は、長時間の使用が見込まれるため、装置本体４と有線で接続し、装置本体４から電源の供給を受けるようにするのが好ましい。
【００４０】
第一検出部１は、装置本体４から制御信号を受信したことに基づいて撮影を開始したり行っていた撮影を終了したりするようになっている。
また、第一検出部１は、撮影した画像の画像データを装置本体４へ送信するようになっている。
【００４１】
また、第一検出部１は、一の乗り物に対して、一つ又は複数備えることが可能である。
第一検出部１の設置箇所は、乗り物の種類にもよるが、乗員を撮影することが可能な位置でさえあれば特に限定されるものではない。
乗り物が自動車である場合には、例えば図２に示したように、バックミラー１１０や、天井１２０、インパネ１３０、ドア１４０等に、後方を撮影できるように設けることが考えられる。
なお、図２には、第一検出部１を運転席の周囲にのみ設けた場合を例示したが、助手席等の他の座席の周囲に設けるようにしてもよい。
また、本発明を適用しようとする乗り物が、前後方向に複数並ぶシートを備えたものである場合には、前側のシートの背面に、後ろ側のシートの方向を撮影できるように設けることもできる。
【００４２】
第二検出部２は、第一検出部１と異なる方法で乗員の状態を検出するものである。本実施形態においては、乗員の体温、脈拍、血圧、呼吸数等のうち少なくともいずれかの生体情報を、乗員と直接接触することにより、又は乗員から得られる情報（反射又は透過してきた光や電磁波等）に基づいて間接的に検出するものとなっている。
第二検出部２は、専用の装置として構成してもよいし、市販の血圧計や体温計、生体センサー等に通信機能を搭載したものとしてもよい。
【００４３】
なお、第二検出部２を、間接的に状態を検出するものとする場合には、装置本体４から制御信号を受信したことに基づいて光や圧力波（音波や電磁波）、振動等を乗員の方向に向けて出力するように構成する。ここで、電磁波とは、１００ＭＨｚ程度の電波やマイクロ波を始め、赤外光、可視光、紫外光、Ｘ線等を含む広義の電磁波を意味しており、人体に悪影響を及ぼさない範囲で好適な電磁波が使用される。
また、この場合、第二検出部２を、乗員の体表で反射した、あるいは乗員を透過した光や圧力波等を検出するように構成する。このようにすれば、第二検出部２は、乗員と接する必要が無くなるため、比較的自由な位置に設けることが可能となる。
【００４４】
また、第二検出部２は、検出した情報に基づく第二検出値（第一検出値については後述する）を算出するようになっている。なお、第二検出値の算出は、後述する装置本体４の制御部４１で行うようにしてもよい。
また、第二検出部２は、装置本体４から測定開始を指示する制御信号を受信したり、算出した第二検出値を装置本体４へ送信したりするようになっている。
【００４５】
なお、第二検出部２の電力や装置本体４との接続方式は、特に限定されるものではないが、第二検出部２は、乗り物が走行している間、乗員の状態を検出し続けるようにする必要があることから、装置本体４と有線で接続し、装置本体４から電源の供給を受けるようにするのが好ましい。
【００４６】
また、第二検出部２は、一のシート２００に対して、一つ又は複数備えることが可能である。
第二検出部２の取り付け位置は、特に限定されるものではないが、図３に示したように、シート２００における着席した乗員と近接する部位、すなわち、シートボトム２１０の上側表層部、シートバック２２０の前側表層部、あるいはヘッドレスト２３０の前側表層部等とするのが、第二検出部２が発する光や電磁波等を減衰させることなく透過させる観点から好ましい。
なお、シート２００が、図示しないオットマンやフットレスト、ネックレスト等を備える場合には、これらに備えるようにしてもよい。
【００４７】
報知部３は、例えば、モニターやスピーカー、振動機等で構成される。そして、後述する装置本体４から受信した制御信号に基づいて、異常の有無を、表示や音声、振動等によって乗員に報知するようになっている。
報知部３を振動機とする場合には、振動が伝わりやすいよう、シート２００における着席した乗員と近接する部位に設けるのが好ましい。
【００４８】
一方、報知部３をモニターで構成する場合には、被測定者の視認しやすい位置に設けるのが好ましい。具体的には、シート２００の前方（自動車の場合にはインパネ１３０や、前後方向に複数並ぶシートを備えたものである場合には、前側のシートの背面等）に設けるとよい。
また、報知部３をモニターで構成すれば、異常発生の報知の他、第一検出部１が撮影した画像や検出値を必要に応じて表示する事もできる。このようにすれば、異常がない場合であっても、乗員の現状の状態を確認することが可能となる。
【００４９】
装置本体４は、図１に示したように、制御部４１、通信部４２、記憶部４３等を備えて構成されている。
制御部４１は、ＣＰＵ、ＲＡＭ等で装置本体４の各部の動作を統括的に制御するように構成されている。具体的には、乗り物のエンジンがかけられたことや、乗員がシートに着席したこと、第一検出部１や第二検出部２から信号を受信したこと等に基づいて、記憶部４３に記憶されている各種処理プログラムを読み出してＲＡＭに展開し、当該処理プログラムに従って各種処理を実行する。
【００５０】
通信部４２は、制御信号を第一検出部１や第二検出部２へ送信したり、第一検出部１から画像データを受信したり、第二検出部２から第二検出値を受信したり、制御信号を報知部３へ送信したり、乗り物１００の図示しない制御装置との間で制御信号を送受信したりすることが可能となっている。
【００５１】
記憶部４３は、ＨＤＤ（Hard Disk Drive）や半導体メモリー等により構成されている。記憶部４３には、各種処理プログラムや、当該プログラムの実行に用いる所定の閾値や数値範囲等を記憶している。
閾値は、例えば、目と認識した領域における開いた状態とみなすことのできる瞳の面積（濃度値の低い画素数）の割合や、上眼瞼と下眼瞼との距離、あるいは頭部と認識した領域における通常範囲とみなすことのできる移動距離や移動速度の上限値等が記憶されている。
【００５２】
数値範囲は、第二検出部２が測定する項目及び第一検出部１で生体情報を検出する場合の測定項目に対応したもので、その測定項目における標準的なもの（いわゆる正常値）が記憶されている。なお、複数の測定項目に対応した複数種類の数値範囲を記憶しておいて、接続する第二検出部２に応じて切り替えできるようにしてもよい。
また、記憶部４３は、第一検出部１や第二検出部２から受信した検出値を記憶することが可能となっている。
【００５３】
このように構成された装置本体４の制御部４１は、記憶部４３に記憶されている処理プログラムに従って以下のような動作をする。
例えば、制御部４１は、乗員の操作や、乗り物のエンジンがかけられたことや、乗員がシートに着席したこと等に基づいて、撮影の開始を指示する信号を、通信部４２を介して、第一検出部１へ送信するようになっている。
また、制御部４１は、撮影の開始を指示する信号の送信と同時又は送信した後、測定の開始を指示する信号を、通信部４２を介して、所定期時間毎に第二検出部２へ繰り返し送信するようになっている。
【００５４】
また、制御部４１は、検出した乗員の状態から第一検出値を求めるようになっている。具体的には、第一検出部１から受信した画像データから、脈波等の生体情報を直接抽出したり、画像から目や頭部を認識し、例えば、目の面積における瞳の面積割合（黒い画素の割合）や上眼瞼と下眼瞼との距離の時間変化、頭部が動いた場合の移動速度等を算出したりする。すなわち、制御部４１は、本発明における第一検出手段をなす。
なお、第一検出値の算出は、第一検出部１において行うようにしてもよい。
【００５５】
また、制御部４１は、撮影された画像に基づいて異常の有無を判断するようになっている。具体的には、求めた第一検出値を対応する閾値又は数値範囲と比較することにより判断する。
瞳の面積や上眼瞼と下眼瞼との距離等を判断に用いる場合には、第一検出値が閾値未満である状態が所定時間続いた場合に、瞼を閉じている、すなわち居眠りや体調不良が疑われる状態であると判断する。
一方、頭部の動き等を判断に用いる場合には、第一検出値が閾値以上であると、異常に速い速度で首を曲げたことになるため、居眠りや意識の低下が疑われる状態であると判断する。
【００５６】
一方、画像データから生体情報を検出する場合、血圧値や呼吸数等を第一検出値として求め、第一検出値が数値範囲内にあるか否かによって異常の有無を判断する。
このような処理を行うことにより、制御部４１は、本発明における判断手段（第一判断手段）をなす。
【００５７】
また、制御部４１は、第二検出部２から第二検出値を受信する度に、予め記憶部に格納されている所定の数値範囲Ｒ（図４参照）と比較し、第二検出値が数値範囲Ｒ内にあれば異常なし、数値範囲Ｒ外にあれば何らかの異常ありと判定するようになっている。すなわち、第二検出部２及び制御部４１は、本発明における判断手段（第二判断手段）として機能する。こうすることで、比較的簡素なプログラム（仕組み）で判断条件の補正を行うことが可能となる。
【００５８】
また、制御部４１は、第一検出値に基づく判断と、第二検出値に基づく判断のうち少なくともいずれかを用いて最終的な異常の有無を判断するようになっている。すなわち、本実施形態では、第一検出値に基づく判断と第二検出値に基づく判断の両方に基づいて最終的な判断をする場合と、いずれか一方に基づいて最終的な判断をする場合と、がある。
本実施形態においては、両方の判断に基づいて最終的な判断を行うことを基本としているが、ユーザーの操作や検出部１，２が検出する項目等に応じて、両方に基づく判断、一方に基づく判断のいずれかを予め設定する構成としてもよい。
いずれか一方の判断に基づいて最終的な判断を行う場合については後述する。
【００５９】
制御部４１は、第一検出値に基づく判断と第二検出値に基づく判断の両方が異常なしであった場合は異常なし、両方が異常ありであった場合は異常ありと判断する。
ここで、第一検出値に基づく判断と第二検出値に基づく判断が異なる場合が考えられる。そこで、装置本体４は、（ａ）一方が異常なしでも他方が異常ありであれば異常ありと最終判断する、（ｂ）一方が異常ありでも他方が異常なしであれば異常なしと最終判断する、のいずれかを選択するようになっている。こうすることで、（ａ）が選択された場合には、異常ありと判断されやすくなるため、乗員の健康状態をより慎重に監視することができる。一方、（ｂ）が選択された場合には、異常なし判断されやすくなるため、乗員が必要以上に不安を感じてしまうのを抑制することができる。
【００６０】
なお、第一検出値に基づく判断と第二検出値に基づく判断が異なる場合の設定として、（ｃ）判断結果に関わらず、第一検出値（第二検出値）に基づく判断を優先して採用する、という選択が行えるようにしてもよい。
【００６１】
また、第一検出値と数値範囲の上限又は下限もしくは閾値との差がほとんど無く、第一検出値に基づく判断が正確に行われない可能性がある場合には、第二検出値を利用して判断を行うようにしてもよい。例えば、運転している乗員が瞼をうっすらと開きながら居眠りをしてしまった場合、夜間で暗い場合、日差しが強い場合等、第一検出部１による画像からは目の状態（瞼を開いているか閉じているか等）を判断しにくい場合がある。このような場合、第二検出値を用いれば、睡眠による血圧や心拍数の低下が見られるか否かを判断することで、居眠りしているか否かを精度よく発見することができる。つまり、第一検出値に基づく判断が第二検出値によって補われることとなる。
【００６２】
また、制御部４１は、第一検出値や第二検出値が数値範囲や閾値から極端に大きく外れる場合に、第一検出値に基づく判断と第二検出値に基づく判断のうち、先に行われた判断を最終的な判断結果として採用するようになっている。具体的には、例えば、数値範囲の上限よりも所定値分だけ高い上閾値ＴＵ（図４参照）と、数値範囲の下限よりも所定値分だけ低い下閾値ＴＬを設定し、先の判断において、検出値が数値範囲Ｒ外にあると判定した場合に、予め記憶部に格納されている所定の閾値ＴＵ，ＴＬと比較し、検出値が数値範囲Ｒの上限と上閾値ＴＵとの間又は数値範囲Ｒの下限と下閾値ＴＬとの間にあれば、第１の異常が発生した（異常の可能性が高い）と判断して後の判断が行われるのを待ち、検出値が上閾値ＴＵよりも上又は下閾値ＴＬよりも下であれば、第１の異常よりもレベルの高い第２の異常が発生した（異常の可能性が大である）と判断して、後の判断を待つことなく最終的な判断結果とするようにしている。こうすることで、深刻な異常の発生をより迅速に検知し、事故の発生を抑制することが可能となる。
【００６３】
また、制御部４１は、遅い方の判断を行う際に、早い方の判断結果に基づいて、異常の有無の判断条件（数値範囲、閾値）を補正するようになっている。
補正の仕方は、例えばユーザーの操作等に応じて、（Ａ）数値範囲を狭める又は閾値を前回の検出値に近づける、（Ｂ）数値範囲を広げる又は閾値を前回の検出値から遠ざける、のいずれかを選択することができるようになっている。こうすることで、（Ａ）が選択された場合には、異常ありと判断されやすくなるため、乗員の異常をより早期に発見することが可能となるし、乗員の健康状態をより慎重に監視することが可能となる。一方、（Ｂ）が選択された場合には、異常なしと判断されやすくなるため、乗員が過度に不安を感じてしまうのを抑制することができる。
【００６４】
また、制御部４１は、異常ありと判断した場合に、その旨を報知するための信号を報知部３へ送信するようになっている。
これにより、報知部３は、異常が発生した場合に、注意喚起（例えば異常が発生していることの報知等）を行うため、乗員の注意が喚起される。すなわち、報知部３及び制御部４１は、本発明における注意喚起手段として機能する。
なお、異常が発生していない場合にも、報知部３が、何らかの表示や音声出力を行えるようにしてもよい。
【００６５】
なお、早い方の判断において異常ありとなった場合に第一注意喚起を行うための信号を報知部３へ送信し、遅い方の判断においても異常ありとなった場合に、第一注意喚起よりも強い第二注意喚起（運転を控える旨の案内等）を行うための信号を報知部３へ送信するようにしてもよい。このようにすれば、第一注意喚起によって、乗員の健康状態に異常が発生したことを乗員に速やかに報知することが可能となる。また、第二の注意喚起によって、注意喚起が二度行われることになるため、第一の注意喚起をあまり意識しなかった乗員も注意するようになる。
【００６６】
また、通信部４２を、図示しない携帯端末と通信可能に構成し、検出値が閾値ＴＵ，ＴＬよりも数値範囲Ｒから遠ざかる方へ超えたと制御部４１が判断した（注意喚起手段が第２の注意喚起を行った）場合に、緊急連絡先へ連絡することを指示する制御信号を携帯端末へ送信するようにしてもよい。このようにすれば、異常が生じた場合に、素早く助けを呼ぶことが可能となる。また、例えば意識が朦朧とする等して、携帯端末を操作することが困難となっても、声さえ出すことができれば助けを呼ぶことができるため、無事に救助される可能性が高まる。
【００６７】
また、通信部４２を、シートが搭載される乗り物の制御部と通信可能に構成し、検出値が閾値ＴＵ，ＴＬよりも数値範囲Ｒから遠ざかる方へ超えたと制御部４１が判断した（注意喚起手段が第２の注意喚起を行った）場合に、以降の運転を制限することを指示する信号（例えば、乗り物が停止中であればエンジンを作動させない信号、乗り物が走行中であれば減速及び停止させる信号を、乗り物の制御部へ送信するようにしてもよい。このようにすれば、異常が発生し、かつ、乗員がアクセルを踏み込んでしまっている場合等であっても、大きな事故が生じるのを抑制することが可能となる。
【００６８】
また、本発明の実施に際しては、第一検出部１と第二検出部２をそれぞれ複数備え、各検出部及び各測定部によって得られた４つ以上の情報のうちの少なくとも２つの情報に基づいて、異常の有無を判定するようにしてもよい。このようにすれば、より正確に異常の有無を判断することが可能となる。また、複数の情報の用い方を変えることによって、よりきめ細かい判断が可能となる。
【００６９】
また、報知部３や装置本体４の代わりに、図５に示したように、市販のスマートフォンやタブレット等の携帯端末５を備えるようにしてもよい。
携帯端末５の制御部５１及び通信部５２は、記憶部５３に所定のアプリケーションを予めインストールしておくことにより、上記実施形態の装置本体４の制御部４１及び通信部４２と同様の機能を有することになる。
また、携帯端末５の表示部５４や、図示しないスピーカー、振動機等が、上記実施形態の報知部３と同様の機能を有することになる。
このように構成された異常検知装置１０Ａは、専用の装置本体や報知部を製造しなくてもよいため、異常検知装置の製造コストを低減することが可能となる。また、画像の表示、音声、振動等、様々な態様で報知を行うことが可能となる。更に、乗員の所持する携帯端末を利用することも可能となる。
【００７０】
また、異常検知装置１０に、着席までの所定期間に乗員が消費したカロリー（状態の変化）を検出する手段を備え、制御部４１が、求めたカロリーに基づいて、数値範囲や閾値を補正するようにしてもよい。このようにした場合、消費カロリーを検出する手段及び制御部４１は、本発明における第三検出手段として機能することとなる。
着席するまでの間に、例えば運動をする等してカロリーを消費してきた場合、乗員の肌の色が通常よりも赤みを帯びていたり、心拍数や血圧値が高めになったりしやすいため、その分だけ異常ありと誤って判断してしまう可能性が高い。そこで、このようにすれば、運動によって上昇したと考えられる（状態が変化した）分だけ生体情報の数値範囲を広げたり閾値を離したりすることで、誤判断してしまうことを抑制することが可能となる。
【００７１】
＜第２実施形態＞
次に、本発明の第２実施形態本発明の第１実施形態に係る異常検知装置の概略構成について説明する。
なお、ここでは、第１実施形態との相違点についてのみ説明する（記載を省略した構成や動作は、基本的に第１実施形態と同様である）。
【００７２】
本実施形態の異常検知装置１０Ａは、主に、第一検出部１Ａ及び第二検出部２Ａの構成、及び装置本体４Ａの行う制御が異なる。
【００７３】
本実施形態の第一検出部１Ａは、乗員の体温、脈拍、血圧、呼吸数等のうち少なくともいずれかの生体情報を乗員と直接接触することにより検出するものとなっている。
第一検出部１Ａは、専用の装置としてもよいし、市販のデジタル式の血圧計や電子体温計等に通信機能を搭載したものとしてもよい。
なお、第一検出部１は、乗り物内に据え付けられるものとしてもよいし、指輪型あるいは腕輪型のような、乗り物から物理的に切り離され乗員が身に着けられるものとしてもよい。
また、脳波や血糖値等、より高度な生体情報を測定するようにしてもよい。
【００７４】
第一検出部１Ａは、検出した生体情報に基づく第一検出値を求めるようになっている。すなわち、第一検出部１Ａは、本発明における第一検出手段をなす。
なお、第一検出値の算出は、後述する装置本体４Ａの制御部４１で行うようにしてもよい。
また、第一検出部１Ａは、求めた第一検出値を装置本体４へ送信するようになっている。
【００７５】
また、第一検出部１は、一の乗り物に対して、一つ又は複数備えることが可能である。
第一検出部１の設置箇所は、特に限定されるものでは無いが、例えば、シート２００の図示しないアームレストやドア１４０のアームレスト等、乗員（特に肌の部分）が接し易いに備えるようにしてもよい。
【００７６】
本実施形態の第二検出部２Ａは、第一検出部１が測定するものと同じ生体情報を、乗員から得られる情報（反射又は透過してきた光や電磁波等）に基づいて間接的に測定するものである。
第二検出部２Ａは、専用の装置として構成してもよいし、市販の生体センサー等を用いたものであってもよい。
【００７７】
装置本体４Ａは、記憶部４３Ａに記憶された処理プログラムの内容が第１実施形態と異なっている。
具体的には、第１実施形態における画像データから目や頭部を認識し、これらに基づいて第一検出値を求めるためのプログラムを有していない。
その代わりに、第一検出部１から受信した第一検出値を数値範囲Ｒと比較するためのプログラムが記憶されている。
本実施形態のようにすることで、カメラを用いなくても、低コストで製造でき、かつ判断の迅速な異常検知装置を得ることができる。
【符号の説明】
【００７８】
１００  乗り物
１１０  バックミラー
１２０  天井
１３０  インパネ
１４０  ドア
２００  シート
２１０  シートボトム
２２０  シートバック
２３０  ヘッドレスト
１０，１０Ａ  異常検知装置
１，１Ａ  第一検出部
２，２Ａ  第二検出部
３  報知部
４，４Ａ  装置本体
４１  制御部
４２  通信部
４３，４３Ａ  記憶部
５  携帯端末
５１  制御部
５２  通信部
５３  記憶部
５４  表示部
Ｒ  数値範囲
ＴＬ  下閾値
ＴＵ  上閾値
【図１】
2019033911.tif 000003
【図２】
2019033911.tif 000004
【図３】
2019033911.tif 000005
【図４】
2019033911.tif 000006
【図５】
2019033911.tif 000007